(57)【特許請求の範囲】
【請求項１】
１軸方向に沿って並び、液状体を吐出する複数のノズルと、
前記液状体の吐出を受ける、前記複数のノズルと対向配置された被吐出体と、
を備え、
前記複数のノズルから前記液状体を前記被吐出体に吐出した後、
前記複数のノズルと前記被吐出体とを相対的に副走査して移動させ、再び前記複数のノズルから前記液状体を前記被吐出体に吐出し、前記液状体の吐出パターンを前記被吐出体に形成する液状体の吐出方法であって、
前記１軸方向に沿って並んだ前記複数のノズルの少なくとも片側に、前記１軸方向に沿って配置された予備ノズルが備えられ、
前記複数のノズルを副走査方向に移動させるときに、
副走査前の前記複数のノズルにおける吐出パターンと、副走査後の前記複数のノズルにおける吐出パターンとが少なくとも１回の副走査において同一となるように、副走査前後で前記予備ノズルによる吐出を制御することを特徴とする液状体の吐出方法。
【請求項２】
請求項１に記載の液状体の吐出方法であって、前記被吐出体でのパターン描画は、各前記パターンに対して、一回の吐出工程で描画されるよう、副走査前後で前記予備ノズルからの吐出動作を制御することを特徴とする液状体の吐出方法。
【請求項３】
請求項１または２に記載の液状体の吐出方法であって、前記複数のノズルにおける吐出パターンは、複数の吐出パターンに対して対応すべく前記複数のノズル毎の吐出条件が求められており、前記複数のノズルにおける吐出回数に応じて、吐出パターンを切り替えることを特徴とする液状体の吐出方法。
【請求項４】
請求項１〜３のいずれか一項に記載の液状体の吐出方法であって、副走査前に吐出を行う前記予備ノズル数と、副走査後に吐出を行う前記予備ノズルの数の差を低減すべく演算を行い、副走査前に吐出を行う前記予備ノズル数と、副走査後に吐出を行う前記予備ノズル数との差を低減させることを特徴とする液状体の吐出方法。
【発明の詳細な説明】
【技術分野】
【０００１】
本発明は、液状体の吐出方法に関する。
【背景技術】
【０００２】
液晶装置のカラーフィルターや、有機ＥＬ素子を製造する方法として、例えば機能性材料を含む液状体を複数のノズルから液滴として被吐出体に吐出することで液状体を着弾／塗布する方法が知られている。
このような方法では、液状体に含まれる機能性材料を用いて、面内分布が少なく均一性が高い薄膜を被吐出体に形成するという観点から、複数のノズル間における液状体の吐出量は高い均一性を備えることが好ましい。吐出量の均一性が低いと、液状体の量や溶質の量にムラが生じるからである。
【０００３】
複数のノズル間における吐出量の均一性を向上させるためには、特許文献１に記載された方法を活用することができる。この場合、複数のノズルのそれぞれに対応する各駆動素子には、複数種類の駆動信号のうちのいずれかが割り当てられる。吐出量が少ないノズルに対応する駆動素子に対しては、吐出量が多くなる駆動信号を割り当て、吐出量が多いノズルに対応する駆動素子に対しては、吐出量が少なくなる駆動信号を割り当てることで、吐出量の均一性が向上させてから本来の吐出動作を行わせる。
【０００４】
また、複数のノズルを備えた吐出ヘッドの副走査方向の長さよりも被吐出体の幅が広い場合には、複数の吐出ヘッドを副走査方向に、間隔を空けるよう設ける構成が良く用いられる。
【０００５】
各ノズルから吐出される液状体の量は、例えば隣り合うノズルの吐出状態に応じても微妙に変化する（所謂クロストーク）。そのため、カラーフィルターや、有機ＥＬ装置のように吐出領域内に繰り返しパターンを持ち、塗布パターンがほぼ固定されている場合には、各ノズルの吐出条件を前述した塗布パターンに合わせて、クロストーク特性も考慮して調整しておくことで、より吐出量の均一性を高くすることができる。また、カラーフィルターを構成するピクセルの特性は、吐出を受ける条件によっても変化する。例えば、２回の吐出を受けて形成されたピクセルは、１回の吐出で形成されたピクセルと特性が異なる。１回目の吐出を受けた後、液滴は乾燥を始める。その状態で２回目の吐出を受けると、ピクセル内の均一性が悪くなり、他のピクセルと比べ品質が低下し、むらが発生するという課題があった。
【先行技術文献】
【特許文献】
【０００６】
【特許文献１】特開平９−１７４８８３号公報
【発明の概要】
【発明が解決しようとする課題】
【０００７】
しかしながら、このように調整された吐出ヘッドを用いて描画するとき、液状体の吐出を受ける被吐出体（例えば基板）の塗布パターンと、調整されたパターンとの間に、ずれが生じる場合がある。この場合、前述のように調整したパターンの繰り返しでは処理できなくなる。そのため、吐出ヘッドは調整されたパターンと異なるパターンで液状体の吐出を行うこととなる。そのため、各ノズルからの吐出量精度が低下するという課題があった。また、このずれがある場合、吐出ヘッドの一端側の一番端にあるノズルと、他端側の一番端にあるノズルとでピクセルが形成される場合が生じる。そのため、このピクセルは２回の吐出を受けて形成されることとなり、上記したように、カラーフィルターのピクセルにむらが生じるという課題があった。
【課題を解決するための手段】
【０００８】
本発明は、以下の形態または適用例として実現され、上述の発明をさらに改善するものである。
【０００９】
［適用例１］本適用例にかかる液状体の吐出方法は、１軸方向に沿って並び、液状体を吐出する複数のノズルと、前記液状体の吐出を受ける、前記複数のノズルと対向配置された被吐出体と、を備え、前記複数のノズルから前記液状体を前記被吐出体に吐出した後、前記複数のノズルと前記被吐出体とを相対的に副走査して移動させ、再び前記複数のノズルから前記液状体を前記被吐出体に吐出し、前記液状体の吐出パターンを前記被吐出体に形成する液状体の吐出方法であって、前記１軸方向に沿って並んだ前記複数のノズルの少なくとも片側に、前記１軸方向に沿って配置された予備ノズルが備えられ、前記複数のノズルを副走査方向に移動させるときに、副走査前の前記複数のノズルにおける吐出パターンと、副走査後の前記複数のノズルにおける吐出パターンとが少なくとも１回の副走査において同一となるように、副走査前後で前記予備ノズルによる吐出を制御することを特徴とする。
【００１０】
これによれば、吐出パターンを保ちながら副走査を行うことができる。そのため、予め吐出パターンに合わせて吐出量分布を均一化しておくことができるので、吐出される液滴量を均一性高く保つことができる。
【００１１】
［適用例２］上記適用例にかかる液状体の吐出方法であって、前記被吐出体でのパターン描画は、各前記パターンに対して、一回の吐出工程で描画されるよう、副走査前後で前記予備ノズルからの吐出動作を制御することを特徴とする。
【００１２】
上記した適用例によれば、パターン描画は１回の吐出工程で形成される。連続したパターン描画が、例えば改行で２回の吐出で形成された場合、１回目に吐出された液状体が乾燥し始めた状態で２回目の液状体を受けることとなる。これに対して、１回の吐出で連続した吐出パターンに液状体を着弾させることで、連続した吐出パターンで形成されるため、２回の吐出工程を用いた場合と比べ高い均質性を備えさせることができる。
【００１３】
［適用例３］上記適用例にかかる液状体の吐出方法であって、前記複数のノズルにおける吐出パターンは、複数の吐出パターンに対して対応すべく前記複数のノズル毎の吐出条件が求められており、前記複数のノズルにおける吐出回数に応じて、吐出パターンを切り替えることを特徴とする。
【００１４】
上記した適用例によれば、複数のノズルの状態を均質な状態に保つことができる。副走査前後の複数のノズルにおける吐出パターンが同じものとなると、この状態で副走査を繰り返した場合、一定のノズルのみが吐出を行い続けることとなり、吐出を行わないノズルは、非吐出の状態を保つこととなる。そのため、ノズルの乾燥状態に差が生じるが、複数の吐出パターンを用いることで、ノズルの乾燥状態の均一性を向上させることが可能となる。
【００１５】
［適用例４］上記適用例にかかる液状体の吐出方法であって、副走査前に吐出を行う前記予備ノズル数と、副走査後に吐出を行う前記予備ノズルの数の差を低減すべく演算を行い、副走査前に吐出を行う前記予備ノズル数と、副走査後に吐出を行う前記予備ノズル数との差を低減させることを特徴とする。
【００１６】
上記した適用例によれば、液状体の吐出量を揃えて吐出を行うことができる。そのため、液状体の総流量が各吐出条件で近い値をとるため、液状体の液滴量を揃えることができる。なお、どちらを用いても総流量に差が出ない場合には、どちらを用いても良い。また、一塊のパターンの描画に際しては可能な限り改行無しで、一回の吐出工程で形成することを優先する。
【図面の簡単な説明】
【００１７】
【図１】液状体を吐出する液滴吐出装置の概略構成を示す斜視図。
【図２】（ａ）は、液滴吐出ヘッドの構成を示す断面図、（ｂ）は、ノズルの配置を示す平面図。
【図３】予備ノズルを備えた有効ノズル列および予備ノズルの吐出パターン例を示す平面図。
【図４】（ａ）は予備ノズルを備えた有効ノズル列および予備ノズルの吐出パターン例を示す平面図、（ｂ）は、ピクセルのレイアウトに沿って、同じパターンの繰り返しでいけるよう、吐出パターンを配置した平面図。
【図５】有効パターン内で２通りの吐出パターンを備える吐出パターンの平面図。
【図６】副走査方向に対して移動してきた吐出ヘッドのノズル列と、隣の吐出ヘッドの始点でのノズル列と一部が重なる場合についての対応を説明する平面図。
【図７】吐出パターンの設計手順をまとめたフローチャート。
【発明を実施するための形態】
【００１８】
以下、本発明を具体化した実施形態を図面に基づいて説明する。
（第１実施形態）
【００１９】
（装置構成）
図１は液状体を吐出する液滴吐出装置の概略構成を示す斜視図である。
液滴吐出装置１００は、液状体１０を液滴として吐出する吐出部が設けられた吐出ヘッド５０、被吐出体としての基板Ｋに吐出して、所定の文字、図柄、画像、パターン、配線等を描画する装置である。本実施形態では、一定の周期を持つパターンで構成されるカラーフィルターや有機ＥＬ素子を主として描画対象としている。
液滴吐出装置１００は、直線状に設けられた一対のガイドレール１０１と、ガイドレール１０１に設けられたエアースライダーとリニアモーター（図示せず）により一つの直線軸方向（本実施形態ではＹ軸方向とする）に移動する移動台１０３を備えている。移動台１０３上には、基板Ｋを載置するための載置テーブル１０５が設けられている。基板Ｋは、載置テーブル１０５に吸着固定されるように構成されている。
【００２０】
載置テーブル１０５に対して移動台１０３と反対側の方向には、所定の距離をおいて一対のガイドレール１０２が設けられている。ガイドレール１０２はガイドレール１０１と直交する直線軸方向（本実施形態ではＸ軸方向とする）に延在するように設けられている。
そして、液滴吐出装置１００には、この一対のガイドレール１０２に沿って移動するキャリッジ１２０が備えられている。このキャリッジ１２０は、その両側にキャリッジ１２０と一体若しくは別体でキャリッジ移動台１１２が設けられ、ガイドレール１０２に設けられたエアースライダーとリニアモーター（いずれも図示せず）により、Ｘ軸方向に沿って移動可能に構成されている。
【００２１】
キャリッジ１２０には、その下方向（重力により引かれる方向）側に所定の配列方向を呈するように設けられた複数の吐出部と、吐出部毎に液状体１０を吐出する吐出ヘッド５０が備えられている。そして、図示しない液状体供給手段からキャリッジ１２０に供給された液状体１０は、キャリッジ１２０内に形成された流路（図示せず）を経由して吐出ヘッド５０に供給され、吐出部から液滴１２１（図２参照）として吐出する。
【００２２】
また、液滴吐出装置１００には、ガイドレール１０２の端部付近に吐出ヘッド５０のメンテナンスユニットとして、吐出ヘッド５０をメンテナンスするキャッピング装置１３０およびワイピング装置１５０を備えている。
キャッピング装置１３０は、凹部が形成されたホルダー１３２に弾性部材からなるキャッピング部材１３１がはめ込まれている。キャッピング装置１３０は、この凹部内を吸引する吸引機構を備えている。また、ホルダー１３２が昇降可能に構成され、吐出ヘッド５０まで移動可能に構成されている。
ワイピング装置１５０には、二つの回転ローラー１５１と、その間に配置された受け台１５４を備えている。回転ローラー１５１の間には布状のワイプ材１５５が配置され、ワイプ材１５５を間欠送りできる機構を備えている。そして、ワイピング装置１５０は、昇降可能に構成され、吐出ヘッド５０の近傍まで移動して、吐出ヘッド５０とワイプ材１５５とが接触可能に構成されている。
【００２３】
移動台１０３のＹ軸方向の移動、キャリッジ１２０に設けられたキャリッジ移動台１１２のＸ軸方向の移動、および吐出ヘッド５０に形成された吐出機構の駆動制御は、制御部１４０によって行われる。同様に、キャッピング装置１３０の吸引および昇降制御、ワイピング装置１５０のワイプ材送りおよび昇降制御は制御部１４０によって行われる。制御部１４０は、コンピューターにより所定のプログラムに基づいてこれらの処理を実行する。
【００２４】
次に、吐出ヘッド５０について説明する。図２は、液滴吐出ヘッドの構成を示す説明図である。例えばカラーフィルターでは赤（Ｒ）、緑（Ｇ）、青（Ｂ）の３色が主に用いられる（４色以上の場合もある）が、どの色についても同様な処理を行うこととなる。そのため、以下、赤（Ｒ）を代表して説明を続ける。
【００２５】
図２（ａ）は、液滴吐出ヘッドの構成を示す断面図、図２（ｂ）は、ノズルの配置を示す平面図である。図２（ａ）に示すように、吐出ヘッド５０は、ノズルプレート１１５を備え、ノズルプレート１１５には、１軸方向（副走査方向）に複数沿って並ぶ、液状体を吐出するノズルＮが形成されている。そして各ノズルＮには、ノズルＮに連通するキャビティ１１１が形成されている。そして、キャビティ１１１には、図示せぬ材料供給部から液状体１０が供給される。また、複数のノズルＮは、ガイドレール１０１、ガイドレール１０２により被吐出体としての基板Ｋと対向配置される。
【００２６】
キャビティ１１１には、キャビティ１１１内の容積を拡大縮小する振動板１１４と、振動板１１４を振動させる加圧手段としての圧電素子１１３が配設されている。そして、吐出ヘッド５０が圧電素子１１３を制御駆動するための駆動信号を受けると、圧電素子１１３が伸張して、振動板１１４がキャビティ１１１内の容積を縮小する。その結果、ノズルＮから縮小した容積分の液状体１０が液滴１２１として吐出される。なお、本実施形態では、加圧手段として、圧電素子１１３を用いたが、特に、これに限定されず、例えば、振動板と電極との間に静電気を発生させて、静電気力によって振動板を変形させてノズルから液滴を吐出させるいわゆる静電式アクチュエーターなどを使用しても良い。さらには、発熱体を用いてノズル内に泡を発生させ、その泡によって液状体を液滴として吐出させる構成を有する吐出ヘッドであっても良い。
【００２７】
ノズルプレート１１５には、液滴１２１を吐出する複数のノズルＮが直線状に整列され、図２（ｂ）に示すように有効ノズル列５８が設けられている。また、有効ノズル列５８の両端には、複数のノズルＮの副走査方向に沿って予備ノズルＮＫが設けられている。なお、図２（ｂ）では予備ノズルＮＫのノズル径を大きくしているが、これはノズルＮと区分するための記載であり、通例、ノズルＮＫのノズル径はノズルＮと同じ値を備えている。
吐出ヘッド５０が液滴吐出装置１００に取り付けられた状態では、有効ノズル列５８とノズルＮＫとは副走査方向に延在する。なお、有効ノズル列は１列に限らず２列以上設けられていても良いし、配列方向も副走査方向に対して傾いているなど、必ずしも副走査方向と一致しなくても差し支えない。
【００２８】
ここで、一定の周期を持つパターンで構成されるカラーフィルター等を、吐出ヘッド５０を用いて製造する際には、有効ノズル列５８を構成するノズルＮが、一定の吐出パターンの繰り返しで吐出／非吐出を行う場合がある。この場合、この吐出パターンに合わせて、ノズルＮの吐出量を校正すると、クロストーク等の要因を含めて吐出量むらを低減することができる。各々のノズルＮからの吐出量は、液滴１２１を減圧雰囲気下で乾燥させた後、白色干渉計等を用いて測定すれば良い。
【００２９】
（予備ノズルを用いた吐出パターンの策定方法）
以下、予備ノズルＮＫを用いた吐出パターンの策定方法について図面を用いて説明する。図３は、予備ノズルを備えた有効ノズル列および予備ノズルの吐出パターン例を示す平面図である。ここでは、カラーフィルター２５０を形成する場合について例示している。ここで、ノズルＮの数は説明を容易にするため、通常用いているノズル数よりもかなり少ない値で記載している。実際の吐出ヘッド５０が備えるノズルＮの数は、例えば１８０個あり、有効ノズル数は両端の１０個分のノズルを使用しない条件、つまりノズルＮの数は１６０個程度となる。なお、「改行」とは、ノズルＮの端よりも外側に液滴１２１を吐出すべく、吐出ヘッド５０を繰り返し周期の１周期分（例えば、有効ノズル列５８と予備ノズルＮＫとを合わせた分）副走査方向に移動させた後、再び液滴１２１を有効ノズル列５８を構成するノズルＮや予備ノズルＮＫから吐出させる工程を指すものとする。
【００３０】
カラーフィルター２５０は、塗布される領域と、塗布されない領域が規則的に並んでいる。そのため、個々のノズルＮの吐出量をクロストークも含めて調整した駆動条件で塗布できる。
ここで、カラーフィルター２５０の配置に合わせて調整した複数のノズルＮの吐出パターンとの間にずれが生じた場合、調整された有効パターン１８２を崩すこととなる。有効パターン１８２を崩すと各ノズルＮからの吐出量のむらが増えるが、予備ノズルＮＫを用いて吐出パターン１８４を調整することで有効パターン１８２内での吐出パターンを変更することなくカラーフィルター２５０を形成することが可能となる。
【００３１】
ここで、カラーフィルター２５０に含まれるピクセル２５１の形成条件について説明する。ピクセル２５１が一旦吐出を受けた後改行し、再び同じピクセル２５１に吐出を受けると、ピクセル２５１は、２回の吐出工程を用いて形成されることとなる。この場合、ピクセル２５１では、最初の液滴１２１（図２（ａ）参照）の吐出を受けた後溶媒が乾いてくる。また、ピクセル２５１内で液滴１２１が偏った状態で分布する場合がある。この状態で次の液滴１２１の吐出を受けると、ピクセル２５１は隣り合うピクセル２５１と異なる特性を持つこととなる。即ち、むらが発生してしまう。そのため、各々のピクセル２５１は、改行による吐出工程の分断を抑えるよう形成することが望まれる。
【００３２】
実際の吐出ヘッド５０が備えるノズルＮの数は、例えば１８０個ある。ここで、両端に位置する１０個分のノズルＮの一部を予備ノズルＮＫとして用い、カラーフィルター２５０の配置ピッチとノズルＮとの位置関係における整合をとるべく予備ノズルＮＫの吐出条件を制御することで、ピクセル２５１を、一回の吐出工程で描画、換言すれば改行無しで形成することができる。
図３では、吐出パターン１８４として有効パターン１８２の両端に予備ノズルＮＫを３つ配置したものを図示している。この場合には、予備ノズルＮＫの一つを吐出させることで、ピクセル２５１を、改行を介することなく、一回の吐出で形成することができる。吐出パターン１８４を繰り返して副走査を行うとピクセル２５１を、改行を介さず、かつ容易に調整しうる繰り返しパターンを用いて吐出を行えることから、ピクセル２５１の形成時に生じる吐出量のばらつきや、改行によるむらの発生を抑えることができる。換言すれば、複数のノズルＮから基板Ｋに液状体１０（共に図１参照）を吐出した後、副走査して移動させ、同じ有効パターン１８２が使えるように予備ノズルＮＫによって制御されているこことなる。
このことから、ばらつきの少ないカラーフィルター２５０を提供することができる。また、ピクセル２５１のピッチと、吐出パターン１８４とのピッチとのずれが生じた場合でも、予備パターンＮＫの吐出パターンを変更することで対応できる。即ち、調整した有効パターン１８２の吐出パターンの変更を抑えることが可能となるので、吐出量のばらつきによる品質低下を抑制することができる。
【００３３】
（比較例：予備ノズルを用いない場合の吐出パターンの策定方法）
以下、比較例として、予備ノズルＮＫを用いない場合の吐出パターンの策定方法について図面を用いて説明する。図４（ａ）は、ピクセルが形成される領域に液滴を吐出するよう吐出パターンを策定した平面図である。この場合、図４（ａ）に示すように、ピクセル２５１の描画中に改行が行われる（１９０Ａ）。また、吐出パターン１９０を用いて描画し、副走査方向に改行した後、最初の吐出パターン１９０と異なる吐出パターン１９０Ｇで描画することが必要となる。さらに、次の改行後にも異なる吐出パターン１９０Ｈを必要とする。
このような場合、各々の吐出パターンに対して吐出量の調整をすることは極めて困難である。また、ピクセル２５１の形成には改行を伴うものがあるため、前述したようにピクセル２５１同士のむらも大きくなってしまう。また、多数のパターンに対しての吐出量の調整は困難であり、各ピクセル２５１間の吐出量の精度は低くなる。そして改行を伴うピクセル２５１の製造工程を用いていることから、筋むら等を抑えたカラーフィルター２５０を得るのは極めて困難となる。
【００３４】
図４（ｂ）は、ピクセルのレイアウトに沿って、同じパターンの繰り返しでいけるよう、吐出パターンを配置した平面図である。この場合、吐出パターン１９２の繰り返しでピクセル２５１を作っていけるため、吐出パターン１９２に特化した吐出量の調整を行うことができる。そのため、吐出量が安定し、吐出量に起因するむらを抑えることができる。
しかし、この場合においてもピクセル２５１の描画中に改行が必要となるため、前述したようにピクセル２５１にむらが生じる。また、ピクセル２５１のピッチと、吐出パターン１９２は必ずしも同期しているわけではないので、ピクセル２５１の描画に際して吐出パターン１９２を変えないと対応できない場合が発生するが、この場合には吐出パターン１９２を変更することが必要となる。しかも、ピッチのずれ具合により、複数の吐出パターンが必要となる。そのため、各吐出パターンに合わせた吐出量の調整が必要となり、調整に要する負荷が大きくなる。
【００３５】
本実施形態における液状体の吐出方法は、以下の効果を奏する。
【００３６】
図２（ｂ）に示すように、有効ノズル列５８の両端には、予備ノズルＮＫが設けられている。予備ノズルＮＫは、ノズルＮと同時に形成できる。そのため、予備ノズルＮＫを工程数を増やすことなく製造することができる。
【００３７】
一定の周期を持つパターンで構成されるカラーフィルター等を、図２（ｂ）に示す吐出ヘッド５０を用いて製造する際には、有効ノズル列５８を構成するノズルＮは、一定の吐出パターンの繰り返しで吐出／非吐出を行うこととなる。この場合、この吐出パターンに合わせてノズルＮの吐出量を校正することで、クロストーク等の要因を含めて吐出量むらを低減することができる。
【００３８】
図３に示すカラーフィルター２５０の配置パターンと整合を取って有効ノズル列５８の外側に位置する予備ノズルＮＫの吐出状態を制御することで、ピクセル２５１を、１回の吐出で形成、換言すれば改行無しで形成することができる。ピクセル２５１の描画を２回の吐出で行うと、最初の液滴１２１（図２（ａ）参照）の吐出を受けた後溶媒が乾いてくる。また、ピクセル２５１内で液滴１２１が偏った状態で分布する場合がある。この状態で次の液滴１２１の吐出を受けると、ピクセル２５１は隣り合うピクセル２５１と異なる特性を持つこととなるため、ピクセル２５１の特性、ピクセル間の均一性が低下する。改行無しでピクセル２５１を形成することで、ピクセル２５１の特性、ピクセル間の均一性を保つことができる。
【００３９】
カラーフィルター２５０の配置に合わせて調整した複数のノズルＮの吐出パターンとの間にずれが生じた場合、調整された有効パターン１８２を崩すこととなる。有効パターン１８２を崩すと各ノズルＮからの吐出量のむらが増えるが、図３に示すように予備ノズルＮＫを設け、予備ノズルＮＫの吐出パターン１８４を調整することで、有効パターン１８２内での吐出パターンを変更することなくカラーフィルター２５０を形成することができる。
【００４０】
（第２実施形態：ノズルの乾燥防止方法）
以下、第２実施形態として、ノズルの乾燥防止方法について図面を用いて説明する。図５は、有効パターン内で２通りの吐出パターンを備える吐出パターンの平面図である。吐出ヘッド２６５が備えるノズルＮは、複数の吐出パターンとしての２通りの吐出パターンに対して吐出量ばらつきを低減させるべく調整されている（求められている）。
例えばカラーフィルター２５０を連続して形成する場合、図３に示すように、調整された吐出パターン１８４で吐出し、着弾させ続けることとなる。
【００４１】
この場合、吐出に寄与しないノズルＮは徐々に乾燥し、このノズルＮの吐出量が不安定になるおそれがある。そこで、ノズルＮから均等に液滴１２１（図２（ａ）参照）を吐出させることがノズルＮの状態管理としては好ましい。そこで、複数（本実施形態では２つ）の吐出パターンを切り替えて用い、ノズルＮの乾燥を防ぐことが好適な方法となる。
図５（ａ）は、調整された有効パターンの一例を示す平面図であり、図５（ｂ）は、図５（ａ）の有効パターンと異なる一例を示す平面図である。図５（ｂ）は、図５（ａ）の有効パターン２０１を反転させた吐出パターンを備えている。そして、図５（ｃ）は、各々のノズルの吐出量を各々の描画パターンに対して調整した後、描画したパターンの一例を示す平面図である。
【００４２】
具体的には、図５（ａ）は、有効パターン２０１の吐出パターンに合わせて各々のノズルＮの吐出量を調整した有効パターン２０１の両端に予備ノズル列２０１Ａを備えた吐出パターン２６０を示している。ここでは、予備ノズル列２０１Ａは非吐出としている。
【００４３】
そして、図５（ｂ）は、有効パターン２０２の吐出パターンに合わせて各々の複数のノズルＮの吐出量を調整した有効パターン２０２の両端に予備ノズル列２０２Ａと予備ノズル列２０２Ｂとを備えた吐出パターン２６１を示している。ここで、予備ノズル列２０２Ａは非吐出、予備ノズル列２０２Ｂは吐出としている。
【００４４】
図５（ａ）と図５（ｂ）との有効パターン２０１と有効パターン２０２とを比較すると、有効パターン２０１と有効パターン２０２は互いに吐出／休止が反転したパターンを備えている。
複数の基板に対してこのような有効パターンを形成する場合には、基板毎に吐出パターンを変えることで、各ノズルＮの乾燥状態等を揃えた状態で液滴１２１を吐出でき、各ノズルＮの吐出状況を安定した状態に保つことができる。また、各ノズルＮ副走査前後で有効パターン２０１と有効パターン２０２を変えても良い。また、ノズルＮの吐出回数を基準として切り替えを行っても良い。
【００４５】
本実施形態における液状体の吐出方法は、上述した実施形態の効果に加え、以下の効果を奏する。
【００４６】
図５（ａ），（ｂ）に示されるように有効パターン２０１と、有効パターン２０２とを設け、切り替えて使用することで、有効パターン２０１と、有効パターン２０２とを合わせた場合に、吐出を行うノズルＮが平均的に吐出を行うことを防止できる。そのため、ノズルＮの乾燥に起因する不良発生を抑えることができる。
【００４７】
図５（ａ），（ｂ）に示されるように、この場合には、予備ノズル列２０１Ａ、予備ノズル列２０２Ａと予備ノズル列２０２Ｂについても吐出パターンが反転する。そのため、予備ノズル列２０１Ａ、予備ノズル列２０２Ａと予備ノズル列２０２Ｂに属するノズルＮについても乾燥が防がれることとなり、予備ノズルＮＫの乾燥に起因する不良発生を抑えることができる。
【００４８】
（第３実施形態：複数の吐出ヘッドを用いた場合の隣り合う吐出ヘッドとの継ぎ目）
以下、第３の実施形態について説明する。図６は、副走査方向に対して移動してきた吐出ヘッドのノズル列と、隣の吐出ヘッドの始点でのノズル列と一部が重なる場合についての対応を説明する平面図である。
本実施形態では、吐出ヘッド２７０で複数回副走査を行う場合、吐出ヘッド２７０の有効ノズル列３００や予備ノズル列３００Ａと、隣にある吐出ヘッド２７１の始点における有効ノズル列３０１や予備ノズル列３０１Ａとの吐出パターンが重なる場合がある。この場合には、予備ノズル列３００Ａ、または予備ノズル列３０１Ａのいずれかの吐出を止めることが必要となる。この場合、有効ノズル列３００と予備ノズル列３００Ａ、または有効ノズル列３０１と予備ノズル列３０１Ａのうち、吐出に関与するノズル数が等しく、かつ改行の問題が発生しない場合には、どちらの吐出を止めても良い。また、図６に示すように、有効ノズル列３０１と予備ノズル列３０１Ａの方が吐出に関与するノズル数の和が多い場合、吐出量変動を緩和すべく、予備ノズル列３００Ａを用いてピクセル２５１に合わせたパターンに対応させるように吐出を行わせることが好適である。この場合、吐出ヘッド２７０と吐出ヘッド２７１との吐出量バランスが良好となるのでむらの発生を抑えることができる。また、予備ノズル列３００Ａや予備ノズル列３０１Ａの片方を用いた場合、ピクセル２５１の途中で改行が発生する場合には、改行を発生させない方を選ぶことで、上述したピクセル２５１の不良発生を抑制することができる。
【００４９】
本実施形態における液状体の吐出方法は、上述した実施形態の効果に加え、以下の効果を奏する。
【００５０】
図６に示すように、吐出ヘッド２７０の有効ノズル列３００や予備ノズル列３００Ａと、副走査方向に対して移動してきた吐出ヘッドのノズル列と、隣にある吐出ヘッド２７１の始点における有効ノズル列３０１や予備ノズル列３０１Ａとの吐出パターンが重なる場合に、予備ノズル列３００Ａや３０１Ａの吐出パターンを変える。より具体的にはどちらかの吐出を停止することで、矛盾なく吐出パターンの重なる領域を処理することができる。
【００５１】
図６に示すように、有効ノズル列３０１と予備ノズル列３０１Ａの方が吐出に関与するノズル数の和が多い場合、吐出量変動を緩和すべく、予備ノズル列３００Ａを用いてピクセル２５１に合わせたパターンに対応させるように吐出を行わせることで、吐出ヘッド２７０と吐出ヘッド２７１との吐出量バランスが良好となるのでむらの発生を抑えることができる。
【００５２】
予備ノズル列３００Ａや予備ノズル列３０１Ａの片方を用いた場合、ピクセル２５１の途中で改行が発生する場合には、改行を発生させない方を選ぶことで、上述したピクセル２５１の不良発生を抑制することができる。
【００５３】
（第４実施形態：吐出パターンの設計手順）
以下、第４実施形態として、吐出パターンの設計手順について説明する。図７は、上記した手順をまとめたフローチャートである。
【００５４】
まず、ステップＳ１として、ピクセル２５１（図６参照）のレイアウトを定める描画データを作成する。
【００５５】
次に、ステップＳ２として、ピクセル２５１のレイアウトに合わせて有効ノズル列３００の幅で改行を行わせるデータを作成する。このステップでは、ピクセル２５１が改行により分断され、複数回の液滴１２１（図２（ａ）参照）の吐出で形成される描画データが発生する場合がある。
【００５６】
次に、ステップＳ３としてピクセル２５１形成における吐出工程が改行により分断されるか否かを判断する。分断される場合には、ステップＳ４に進む。
【００５７】
ステップＳ４では、ピクセル２５１形成における改行による吐出工程の分断を抑えるよう、予備ノズルＮＫを追加する。
そして、ステップＳ５で、ステップＳ３でＮｏであった場合の分岐と合流する。このステップでは、ピクセル２５１の幅とピクセル２５１間の間隔との整数倍を改行幅として設定する。このように設定することで、ピクセル２５１内での改行は防止される。そのため、１回の液滴１２１の吐出工程でピクセルを形成することが可能となり、ピクセル２５１を均一な特性で形成することができる。
【００５８】
次に、ステップＳ６では、隣の吐出ヘッド２７１の始点における有効ノズル列３０１と予備ノズル列３０１Ａを含む吐出パターンと、自ヘッドとしての吐出ヘッド２７０の終点での有効ノズル列３００と予備ノズル列３００Ａを含む吐出パターンが重なるか否かを判断する。重なる（Ｙｅｓ）の場合には、ステップＳ７に進み、重ならない（Ｎｏ）の場合には、ここで終了（エンド）となる。
【００５９】
ステップＳ７では、データが重なった部分のいずれか片方の吐出を止めるよう、データを調整する。この場合、原則的には、どちらの吐出を避けるようにしても良いが、吐出する予備ノズルの数に差がある場合には、吐出する予備ノズルが少ない方に吐出させることで吐出量バランスが良好となるのでむらの発生をより抑えることができる。
【００６０】
描画データはこれらのステップを持って形成されるが、この有効ノズル幅における描画データに合わせて、各ノズルの吐出量を校正する工程を備えることがより好適である。
ノズル毎の吐出量は、隣り合うノズルの吐出の有無等でも影響を受ける。そこで、上記した描画データを用いて校正することで、吐出に関わる種々のばらつき要素を加味して吐出量を校正することができる。吐出量の測定等は、例えば白色干渉計等を用いて行えば良い。このようにすることで、上記した描画データに特化した校正を行うことができる。
【００６１】
本実施形態における液状体の吐出方法は、上述した実施形態の効果に加え、以下の効果を奏する。
【００６２】
ピクセル２５１のレイアウトを参照して、ピクセル２５１形成における改行を行う場合における吐出工程の分断を抑えるよう、予備ノズルＮＫを追加することで、改行を介さずにピクセル２５１の描画を行うことができる。
【００６３】
予備ノズルＮＫを追加した後、ピクセル２５１の幅とピクセル２５１間の間隔との整数倍を改行幅として設定することで、ピクセル２５１内での改行は防止される。そのため、１回の液滴１２１の吐出工程でピクセルを形成することが可能となり、ピクセル２５１を均一な特性で形成することができる。
【符号の説明】
【００６４】
１０…液状体、５０…吐出ヘッド、５８…有効ノズル列、１００…液滴吐出装置、１０１…ガイドレール、１０２…ガイドレール、１０３…移動台、１０５…載置テーブル、１１１…キャビティ、１１２…キャリッジ移動台、１１３…圧電素子、１１４…振動板、１１５…ノズルプレート、１２０…キャリッジ、１２１…液滴、１３０…キャッピング装置、１３１…キャッピング部材、１３２…ホルダー、１４０…制御部、１５０…ワイピング装置、１５１…回転ローラー、１５４…受け台、１５５…ワイプ材、１８２…有効パターン、１８４…吐出パターン、１９０…吐出パターン、１９０Ｇ…吐出パターン、１９０Ｈ…吐出パターン、１９２…吐出パターン、２０１…有効パターン、２０１Ａ…予備ノズル列、２０２…有効パターン、２０２Ａ…予備ノズル列、２０２Ｂ…予備ノズル列、２５０…カラーフィルター、２５１…ピクセル、２６０…吐出パターン、２６１…吐出パターン、２６５…吐出ヘッド、２７０…吐出ヘッド、２７１…吐出ヘッド、３００…有効ノズル列、３００Ａ…予備ノズル列、３０１…有効ノズル列、３０１Ａ…予備ノズル列。
【図１】
0005310763.tif 000002
【図２】
0005310763.tif 000003
【図３】
0005310763.tif 000004
【図４】
0005310763.tif 000005
【図５】
0005310763.tif 000006
【図６】
0005310763.tif 000007
【図７】
0005310763.tif 000008